【事件の表示】
　特許第２９４８７０１号「パチンコ機」の請求項１、２に係る特許に対する特許異議の申立てについて、次のとおり決定する。
【結　論】
　訂正を認める。
　特許第２９４８７０１号の請求項１ないし２に係る特許を維持する。
【理　由】
１・手続の経緯
　本件特許２９４８７０１号の手続の経緯は次のとおりである。
特許出願　　　　　　　　　　　　平成４年７月３１日
設定登録　　　　　　　　　　　　平成１１年７月２日
特許異議の申立（町田彬）　　　　平成１２年３月１３日
取消し理由通知　　　　　　　　　平成１２年６月９日
訂正請求（後日取り下げ）　　　　平成１２年８月２１日
上申書（町田彬）　　　　　　　　平成１２年１０月４日
訂正拒絶理由通知　　　　　　　　平成１２年１２月１１日
異議意見書　　　　　　　　　　　平成１３年２月２０日
上申書（町田彬）　　　　　　　　平成１３年４月３日
審尋（特許権者へ）　　　　　　　平成１３年５月１日
回答書（特許権者）　　　　　　　平成１３年６月１８日
再度の取消し理由通知　　　　　　平成１３年１０月１９日
再度の訂正請求　　　　　　　　　平成１３年１１月３０日
　
２・訂正の適否についての判断
（１）訂正の内容
ア　訂正事項ａ
　特許第２９４８７０１号発明の明細書中特許請求の範囲の請求項１において、「この下球皿の手前側をカバーする部材と上球皿の手前側をカバーする部材と一体的に形成し、」を「この下球皿の手前側をカバーする部材と上球皿の手前側をカバーする部材とを別々に突出させずに一体的に形成し、」と訂正する。
イ　訂正事項ｂ
　特許第２９４８７０１号発明の明細書中段落番号「０００７」の第１パラグラフにおいて、「この下球皿の手前側をカバーする部材と上球皿の手前側をカバーする部材とを一体的に形成し、」を「この下球皿の手前側をカバーする部材と上球皿の手前側をカバーする部材とを別々に突出させずに一体的に形成し、」と訂正する。
ウ　訂正事項ｃ
　特許第２９４８７０１号発明の明細書中段落番号「００２１」の第２パラグラフにおいて、「また、上球皿の前側をカバーする部材と下球皿をカバーする部材とを一体的に形成したことから、上球皿のカバーと下球皿のカバーとが別々に突出しているよりも、凹凸部分が減少し、運搬中に引っかけて破損したりすることがない。」を「また、上球皿の前側をカバーする部材と下球皿をカバーする部材とを別々に突出させずに一体的に形成したことから、上球皿のカバーと下球皿のカバーとが別々に突出しているよりも、凹凸部分が減少し、運搬中に引っかけて破損したりすることがない。」と訂正する。
（２）訂正の目的の適否、新規事項の有無及び拡張・変更の存否
　上記訂正事項ａは、特許明細書の請求項１に記載されていた「この下球皿の手前側をカバーする部材と上球皿の手前側をカバーする部材とを一体的に形成し、」を、特許明細書の段落番号「００２１」の「上球皿のカバーと下球皿のカバーとが別々に突出しているよりも、凹凸部分が減少し、運搬中に引っかけて破損したりすることがない。」の記載に基づき、より下位概念である「この下球皿の手前側をカバーする部材と上球皿の手前側をカバーする部材とを別々に突出させずに一体的に形成し、」と限定するものであり、特許請求の範囲の減縮を目的とした明細書の訂正に該当し、上記訂正事項ｂ、訂正事項ｃは、訂正後の請求項１の記載と整合を図るものであるから、明りょうでない記載の釈明を目的とした明細書の訂正に該当し、いずれも、新規事項の追加に該当せず、実質上特許請求の範囲を拡張し、変更するものではない。
（３）むすび
　以上のとおりであるから、上記訂正は特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書、第２項の規定に適合するので、当該訂正を認める。
　
３・特許異議の申立てについての判断
（１）申立ての理由の概要
　申立人は、甲第１号証（特願平３−２５８７４３号（特開平５−６８７３７号公報）の明細書及び図面）、甲第２号証（特開平４−５９７８号公報）、甲第３号証（特開平４−１５０７１号公報）、甲第４号証（特開平４−１０２４９４号公報）、甲第５号証（特開平４−２６４２７号公報）、甲第６号証（特開平４−３０８６９号公報）、甲第７号証（特開平４−５１９７８号公報）、甲第８号証（特開平４−８４９８４号公報）を提出し、本件特許の請求項１ないし２に係る発明は、先願である甲第１号証に周知技術を付加したものに過ぎず、新たな効果を奏するものではないから、甲第１号証と実質的に同一であり、特許法第２９条の２第１項の規定に違反してなされたものであり、取り消されるべきものである旨主張している。
（２）本件の発明
　上記「２・訂正の適否についての判断」で示したように上記訂正が認められたので、本件特許の請求項１ないし２に係る発明は、上記訂正に係る訂正明細書の特許請求の範囲の請求項１ないし２に記載された事項により特定される次のとおりのものである。
「【特許請求の範囲】
【請求項１】枠体に盤面を固定すると共に、この盤面下部に相当する枠体に上球皿を突設させたパチンコ機において、上球皿を、盤面左側の広幅凹部と、この広幅凹部に連続した盤面右側の狭幅凹部と、狭幅凹部の手前方向に狭幅凹部の部分の突出長さが広幅凹部の突出長さと同一長さとなるように設けた延設部とを設けて形成し、この延設部の上面に、少なくてもプリペイドカードを用いてパチンコ球を借り出す借出スイッチと、カードリーダー中のカードを返却するための返却スイッチとを設けた操作部を形成し、上球皿の下方には、上球皿と同じ距離だけ手前側に突出した下球皿を設け、この下球皿の手前側をカバーする部材と上球皿の手前側をカバーする部材とを別々に突出させずに一体的に形成し、たことを特徴とするパチンコ機。
【請求項２】操作部に、カードリーダーに差し込んだプリペイドカードの使用残の数値表示部を設けた請求項１記載のパチンコ機。」
（３）各甲号証に記載された発明
甲第１号証には、特に、
イ・「【実施例】以下、本発明を図示の実施例について説明すると、図１は本発明に係るパチンコ機１の概略斜視図であって、このパチンコ機１は外観上、外枠２とこの外枠２に開閉自在に蝶着される前面枠３と、上皿等を設けた上皿セット４と、下皿及び操作ハンドル等を設けた下皿セット５とに大別できる。一方、図２はパチンコ機１の概略背面図であって、向かって左側上方から球を貯留する上タンク１１、球を誘導する下タンク１２、遊技盤１３に配置する役物等を制御する遊技盤制御ボックス１４、入賞球を集めたり役物等の背面側を保護するリヤカバー１５、入賞球の処理や賞球の払出を制御する枠制御ボックス１６が配置され、リヤカバー１５の右方には下タンク１２に連通する賞球払出装置１７、リヤカバー１５の下方には入賞球処理装置１８が夫々配置されている。また、図３はパチンコ機１の概略左側面図であって、外枠２の前面側に上皿セット４及び下皿セット５が突出状に位置し、外枠２の背面側には上タンク１１、下タンク１２が突出状に位置し、賞球払出装置１７及び入賞球処理装置１８が互いにほゞ平面状に位置し、リヤカバー１５が賞球払出装置１７等から若干突出状に位置している。また、図４は、上皿セット４及びガラス枠８を外した状態の正面図で、遊技盤載置台１９や、打球発射装置１９１、球送り装置１９２、スピーカユニット１９３等が示してある。」【０００６】の記載、
ロ・「上記のような外枠２に蝶着する前面枠３は、金属製のフレーム３１と合成樹脂製の飾り部材３２とからなる。上記フレーム３１は、概説すると左右の縦フレーム材３１１，３１２と、上下の横フレーム材３１３，３１４と、中段より下横フレーム材３１４に寄った横位置に設ける中フレーム材３１５とを矩形に組み付けてなる。尚、図示の実施例ではＬ字状のフレーム材を示しているが、コ字状のフレーム材で構成してもよい。」【００１２】の記載、
ハ・「上記のようにして組み立てたフレーム３１の背面側には、内部に遊技盤１３を収設可能なリヤプレート６を設ける。このリヤプレート６は金属板を浅い筺形に形成したものであって、ほゞ中央部分には比較的大きな窓６１を開設し、適宜位置に、賞球の払出口６２や、表示装置の取付口６３等を設ける。一方、このリヤプレート６の底板部６４には、発射レールの設置が可能なように切欠口６５が設けてある。尚、上記リヤプレート６の周縁には鍔部６６が延設してあり、この鍔部６６をフレーム３１の背面側に適宜スポット溶接して固定してある。」【００２１】の記載、
ニ・「上記のような上皿セット取付板４２に止着する上皿本体４３は、上側に凹陥状の上皿部４１を有すると共に上面操作部４３２を有している。上皿部４１には上記したように上皿部４１の球を供給口４２４へ誘導する整列樋４３１を設ける。上記上面操作部４３２には上皿の球を下皿に排出させる上皿球抜き装置の操作ボタン４３３を設けると共に、打球発射装置１９１に対する球の供給を一時的に停止する一時停止ボタン４３４を設ける。また、この上皿本体４３は下皿セット５の上方に位置する庇部４７を構成している。更に、上皿本体４３の左右の端部には、ヒンジ手段４８及び閉止手段４９を設ける。」【００３０】の記載、
ホ・「上皿セット４の下方には、上皿セット４と同じ距離だけ手前側に突出した下皿セット５が突出状に位置している」（図１、図３）、
ヘ・「上皿部４１には左側の広幅部とそれに連続した狭幅の整列樋４３１があり、整列樋４３１の前面側に整列樋４３１の部分の突出長さが上皿部４１の左側広幅部の突出長さと同一長さになるように上面操作部４３２が位置している」（図２２）
からみて
「前面枠３に遊技盤１３を収設すると共に、この遊技盤１３下部に相当する前面枠３に上皿セット４を突出させたパチンコ機において、上皿セット４を、上皿部４１の左側の広幅部と、この左側広幅部の右側に連続した狭幅の整列樋４３１と、整列樋４３１の手前方向に整列樋４３１の部分の突出長さが上皿部４１の左側広幅部の突出長さと同一長さとなるように上面操作部４３２を設けて形成し、この上面操作部４３２に、上皿球抜き装置の操作ボタン４３３と、打球発射装置１９１に対する球の供給を一時的に停止する一時停止ボタン４３４を設けた操作部を形成し、上皿セット４の下方には、上皿セット４と同じ距離だけ前面側に突出した下皿セット５を設け、この下皿セット５と上皿セット４とを別々に突出させずに一体的に形成したパチンコ機」に関する発明が記載されている。
甲第２号証には、
ア・「そして、前枠１ｃの前面には、磁気カードの挿入口２ａと排出口２ｂを設けたカード処理装置２と、遊技者の持球数を表示する球数表示部３と、遊技者が磁気カードから使用する金額を選択する金額セレクトボタン４，４，４と、遊技の終了を入力する清算ボタン５と、後述する打球発射装置Ｓの操作ハンドル６等が設けられている。」（第２頁左上欄第１６行〜右上欄第３行）の記載、
イ・「遊技者が磁気カードをカード処理装置２に差し込むとその磁気カードに記録された持球データが付属の球制御装置９に読み込まれる。そして、遊技者が金額セレクトボタン４を選択するとその金額分の持球が磁気カードから引き落とされ、球数表示部３に発射可能な球数が表示される。」（第３頁右上欄第１９行〜左下欄第４行）の記載、
ウ・「なお、本発明を適用するパチンコ機１は、上記のような磁気カードを利用した循環球方式において最も効果的であると考えられるが、もちろんこれに限定されるものではなく、通常のパチンコ機についても適用可能である。即ち、通常のパチンコ機の場合にはパチンコ機の前板１ｂ側の球皿から球供給装置１２にパチンコ球が供給されるのであるから、球皿と球供給装置１２の供給口１２ｂとの間に連絡樋を設けるか、或は、第６図のように取付基盤１０を平板状に形成し、該取付基盤１０の上方突出部分に発射レール１８側に向けて球供給装置１２を設置し、該球供給装置１２と前板１ｂ側の球皿２３とを連絡樋２４で連結し、もって発射レール１８の上方からパチンコ球を供給するようにしてもよい」（第３頁右下欄第８行〜第４頁左上欄第２行）の記載
がある。
甲第３号証には、　　　
ア・「また、前記前枠１ｂには、磁気カードの挿入口２ａと排出口２ｂを設けたカード処理装置２と、遊技者の持球数を表示する球数表示部３と、遊技者が磁気カードから使用する金額を選択する金額セレクトボタン４，４，４と、遊技の終了を入力する清算ボタン５と、打球の発射勢を調節する操作ハンドル６等が設けられている。」（第２頁左下欄第７行〜第１３行）の記載、　
イ・「遊技者が磁気カードをカード処理装置２に差し込むとその磁気カードに記録された持球データが制御装置１０に読み込まれる。そして、遊技者が金額セレクトボタン４を選択するとその金額分の持球が磁気カードから引き落とされ、球数表示部３に発射可能な球数が表示される。」（第３頁左下欄第２０行〜右下欄第５行）の記載
がある。　
甲第４号証には、
ア・「前記前枠２ｂには、磁気カードの挿入口７ａと排出口７ｂを設けたカード処理装置７と、遊技者の持球数を表示する球数表示部８と、遊技者が磁気カードから使用する金額を選択する金額セレクトボタン９，９，９と、遊技の終了を入力する精算ボタン１０と、打球の発射勢を調節する操作ハンドル１１等が設けられている。」（第２頁右下欄第５行〜第１１行）の記載、
イ・「遊技者が磁気カードをカード処理装置７に差し込むとその磁気カードに記録された持球データが制御装置Ｃに読み込まれる。そして、遊技者が金額セレクトボタン９を選択するとその金額分の持球が磁気カードから引き落とされ、球数表示部８に発射可能な球数が表示される。」（第３頁右下欄第１９行〜第４頁右上欄第４行）の記載
がある。
甲第５号証には、
ア・「また、前記前枠１ｂには、磁気カードの挿入口２ａと排出口２ｂを設けたカード処理装置２と、遊技者の持球数を表示する球数表示部３と、遊技者が磁気カードから使用する金額を選択する金額セレクトボタン４，４，４と、遊技の終了を入力する清算ボタン５と、打球の発射勢を調節する操作ハンドル６等が設けられている。」（第２頁右上欄第１５行〜左下欄第１行）の記載、
イ・「遊技者が磁気カードをカード処理装置２に差し込むとその磁気カードに記録された持球データが制御装置１０に読み込まれる。そして、遊技者が金額セレクトボタン４を選択するとその金額分の持球が磁気カードから引き落とされ、球数表示部３に発射可能な球数が表示される。」（第３頁左下欄第１７行〜右下欄第２行）の記載
がある。
甲第６号証には、
ア・「また、前記前枠１ｂには、磁気カードの挿入口２ａと排出口２ｂを設けたカード処理装置２と、遊技者の持球数を表示する球数表示部３と、遊技者が磁気カードから使用する金額を選択する金額セレクトボタン４，４，４と、遊技の終了を入力する清算ボタン５と、打球の発射勢を調節する操作ハンドル６等が設けられている。」（第２頁左下欄第１５行〜右下欄第１行）の記載、
イ・「遊技者が磁気カードをカード処理装置２に差し込むとその磁気カードに記録された持球データが制御装置１０に読み込まれる。そして、遊技者が金額セレクトボタン４を選択するとその金額分の持球が磁気カードから引き落とされ、球数表示部３に発射可能な球数が表示される。」（第４頁左下欄第４行〜第９行）の記載
がある、
甲第７号証には、
ア・「また、前記前枠１ｂには、磁気カードの挿入口２ａと排出口２ｂを設けたカード処理装置２と、遊技者の持球数を表示する球数表示部３と、遊技者が磁気カードから使用する金額を選択する金額セレクトボタン４，４，４と、遊技の終了を入力する清算ボタン５と、打球の発射勢を調節する操作ハンドル６等が設けられている。」（第２頁左下欄第１８行〜右下欄第４行）の記載、
イ・「遊技者が磁気カードをカード処理装置２に差し込むとその磁気カードに記録された持球データが制御装置１０に読み込まれる。そして、遊技者が金額セレクトボタン４を選択するとその金額分の持球が磁気カードから引き落とされ、球数表示部３に発射可能な球数が表示される。」（第４頁右上欄第２行〜第７行）の記載
がある。
甲第８号証には、
ア・「また、前記前枠２ｂには、磁気カードの挿入口７ａと排出口７ｂを設けたカード処理装置７と、遊技者の持球数を表示する球数表示部８と、遊技者が磁気カードから使用する金額を選択する金額セレクトボタン９，９，９と、遊技の終了を入力する清算ボタン１０と、打球の発射勢を調節する操作ハンドル１１等が設けられている。」（第２頁右下欄第１２行〜第１８行）の記載、
イ・「遊技者が磁気カードをカード処理装置７に差し込むとその磁気カードに記録された持球データが制御装置１４に読み込まれる。そして、遊技者が金額セレクトボタン９を選択するとその金額分の持球が磁気カードから引き落とされ、球数表示部８に発射可能な球数が表示される。」（第４頁左上欄第４行〜第９行）の記載
がある。
（４）本件請求項１ないし２に係る発明と甲第１号証に記載された発明との対比及び判断
　先ず、本件請求項１に係る発明（前者）と甲第１号証に記載された発明（後者）とを対比すると、
　後者の「前面枠３」、「遊技盤１３」、「上皿セット４」、「上皿部４１の左側広幅部」、「整列樋４３１」、「上面操作部４３２」及び「下皿セット５」がそれぞれの機能に照らし、
それぞれ前者の「枠体」、「盤面」、「上球皿」、「盤面左側の広幅凹部」、「盤面右側の狭幅凹部」、「延設部の上面に形成された操作部」及び「下球皿」
に相当するものと認められ、
　後者の上皿セット４及び下皿セット５には上球皿の手前側をカバーする部材及び下球皿の手前側をカバーする部材も含まれて構成されているから、　　両者は、「枠体に盤面を固定すると共に、この盤面下部に相当する枠体に上球皿を突設させたパチンコ機において、上球皿を、盤面左側の広幅凹部と、この広幅凹部に連続した盤面右側の狭幅凹部と、狭幅凹部の手前方向に狭幅凹部の部分の突出長さが広幅凹部の突出長さと同一長さとなるように設けた延設部とを設けて形成し、この延設部の上面に、操作部を形成し、上球皿の下方には、上球皿と同じ距離だけ手前側に突出した下球皿を設け、この下皿の手前側をカバーする部材と上球皿の手前側をカバーする部材とを別々に突出させずに一体的に形成したパチンコ機」である点で一致し、
　延設部の上面に設けられる操作部が、前者が、プリペイドカードを用いてパチンコ球を借り出す借出スイッチと、カードリーダー中のカードを返却するための返却スイッチであるのに対し、後者は、上皿の球を下皿に排出させる上皿球抜き装置の操作ボタン４３３と、打球発射装置１９１に対する球の供給を一時的に停止する一時停止ボタン４３４である点で相違している。
　上記相違点に係る延設部の上面に借出スイッチ及び返却スイッチを設ける点が周知であるかどうか検討するために、甲第２〜８号証をみるに、甲第２〜８号証には、前者の「借出スイッチ」に相当する「金額セレクトボタン」と前者の「返却スイッチ」に相当する「清算ボタン」をいずれもカード処理装置に設けることは記載されているが、上球皿に借出スイッチや返却スイッチを設けることは記載も示唆もなく、上球皿に設けた延設部に借出スイッチや返却スイッチを設ける上記相違点に係る構成が周知であるとは認められない。
　したがって、両者が同一であるとはいえない。
　次いで、本件請求項２に係る発明と後者とを対比するに、本件請求項２に係る発明と後者との間には、やはり、前記した相違点があるのであるから、
　本件請求項２に係る発明と後者が同一であるとはいえない。
（５）むすび
　以上のとおりであるから、特許異議申立ての理由及び証拠によっては、本件請求項１ないし２に係る発明の特許を取り消すことはできない。
　又、他に本件請求項１ないし２に係る発明の特許を取り消すべき理由を発見しない。
　よって、結論のとおり決定する。
【異議決定日】
平成１３年１２月１３日（２００１．１２．１３）
【訂正の要旨】
（１）訂正の要旨
　訂正事項ａ
　特許第２９４８７０１号発明の明細書中特許請求の範囲の請求項１において、「この下球皿の手前側をカバーする部材と上球皿の手前側をカバーする部材と一体的に形成し、」を「この下球皿の手前側をカバーする部材と上球皿の手前側をカバーする部材とを別々に突出させずに一体的に形成し、」と訂正する。
　訂正事項ｂ
　特許第２９４８７０１号発明の明細書甲殻落書号「０００７」の第１パラグラフにおいて、「この下球皿の手前側をカバーする部材と上球皿の手前側をカバーする部材とを一体的に形成し、」を「この下球皿の手前側をカバーする部材と上球皿の手前側をカバーする部材とを別々に突出させずに一体的に形成し、」と訂正する。
　訂正事項ｃ
　特許第２９４８７０１号発明の明細書中段落書号「００２１」の第２パラグラフにおいて、「また、上球皿の前側をカバーする部材と下球皿をカバーする部材とを一体的に形成したことから、上球皿のカバーと下球皿のカバーとが別々に契出しているよりも、凹凸部分が減少し、運搬中に引っかけて破損したりすることがない。」を「また、上球皿の前側をカバーする部材と下球皿をカバーする部材とを別々に突出させずに一体的に形成したことから、上球皿のカバーと下球皿のカバーとが別々に突出しているよりも、凹凸部分が減少し、運搬中に引っかけて破損したりすることがない。」と訂正する。
（５４）【発明の名称】
パチンコ機
（５７）【特許請求の範囲】
　【請求項１】枠体に盤面を固定すると共に、この盤面下部に相当する枠体に上球皿を突設させたパチンコ機において、
　上球皿を、盤面左側の広幅凹部と、この広幅凹部に連続した盤面右側の狭幅凹部と、狭幅凹部の手前方向に狭幅凹部の部分の突出長さが広幅凹部の突出長さと同一長さとなるように設けた延設部とを設けて形成し、
　この延設部の上面に、少なくてもプリペイドカードを用いてパチンコ球を借り出す借出スイッチと、カードリーダー中のカードを返却するための返却スイッチとを設けた操作部を形成し、
　上球皿の下方には、上球皿と同じ距離だけ手前側に突出した下球皿を設け、この下球皿の手前側をカバーする部材と上球皿の手前側をカバーする部材と
を別々に突出させずに一
　たことを特徴とするパチンコ機。
　【請求項２】操作部に、カードリーダーに差し込んだプリペイドカードの使用残の数値表示部を設けた請求項１記載のパチンコ機。
【発明の詳細な説明】
　【０００１】
　【産業上の利用分野】
　本発明はパチンコ機、更に詳しくは通常のパチンコ機、麻雀式パチンコ機、組合せ式パチンコ機、加算式パチンコ機等のように、球を盤面にはじき、球が盤面を落下する間に種々の遊技が行われ、入賞の場合に球を払い出すように形成されたパチンコ機のうち、特に払い出される球を収納しておく上球皿に、各種操作を行うための操作部を設けたパチンコ機に関するものである。
　【０００２】
　【従来の技術】
　従来からパチンコ機は、通常のパチンコ機、麻雀式パチンコ機、組合せ式パチンコ機、加算式パチンコ機等として広く用いられていた。
　このようなパチンコ機においては、遊技を行うために球が必要とされる。
　従来このような球は、パチンコ機を併設した島の端部に設けられた球貸し機や、あるいはパチンコ機の間に設置された台間機としての球貸し機等に硬貨あるいは紙幣をいれることによって借り出して使用していた。
　【０００３】
　ただ近年、いわゆるプリペイドカードを用いた球貸し機が提供されるようになってきた。この球貸し機は、あらかじめ購入したプリペイドカードを用いて球を貸し出すものであり、遊技が終了した時点で使用残があるプリペイドカードは別途清算機で清算できるようになっていた。
　ただこのようなプリペイドカードを使用しようとすると、プリペイドカードのカードリーダーの他に、少なくても遊技客が球を借り出す際に押す借出スイッチと、カードリーダーに差し込んだプリペイドカードをカードリーダーから返却させるための返却スイッチと、カードリーダーに差し込んだプリペイドカードの使用残の数値表示部等が必要とされる。
　【０００４】
　【発明が解決しようとする課題】
　しかしながら、従来のパチンコ機には、この種のスイッチ、例えば遊技客が球を借り出す際に押す借出スイッチと、カードリーダーに差し込んだプリペイドカードをカードリーダーから返却させるための返却スイッチ等を付設する場所として適当な場所がないものであった。
　【０００５】
　そこで本発明は、上球皿を、盤面左側の広幅凹部と、この広幅凹部に連続した盤面右側の狭幅凹部と、狭幅凹部の手前方向に狭幅凹部の部分の突出長さが広幅凹部の突出長さと同一長さとなるように設けた延設部とから形成し、この延設部の上面に上記各種スイッチの操作部を設けることによって、従来のパチンコ機にプリペイドカードを用いた球の借り出しに要する操作部を設置するための新たな場所を提供することによって、種々の操作性等の向上を図ったものである。
　【０００６】
　また操作部に、カードリーダーに差し込んだプリペイドカードの使用残の数値表示部を設けると、ペイドカードを用いた球の借り出し操作が更に容易に行えるものである。
　【０００７】
　【課題を解決するための手段】
　前述した目的を達成するために、本発明の内請求項１記載の発明は、枠体に盤面を固定すると共に、この盤面下部に相当する枠体に上球皿を突設させたパチンコ機において、上球皿を、盤面左側の広幅凹部と、この広幅凹部に連続した盤面右側の狭幅凹部と、狭幅凹部の手前方向に狭幅凹部の部分の突出長さが広幅凹部の突出長さと同一長さとなるように設けた延設部とを設けて形成し、この延設部の上面に、少なくてもプリペイドカードを用いてパチンコ球を借り出す借出スイッチと、カードリーダー中のカードを返却するための返却スイッチとを設けた操作部を形成し、上球皿の下方には、上球皿と同じ距離だけ手前側に突出した下球皿を設け、この下球皿の手前側をカバーする部材と上球皿の手前側をカバーする部材と
を別々に突出させずに一
　【０００８】
　更に請求項２記載の発明は、請求項１記載の発明の構成に加えて、操作部に、カードリーダーに差し込んだプリペイドカードの使用残の数値表示部を設けたものである。
　【０００９】
　【実施例】
　以下、図示例と共に、本発明の実施例を説明する。
　図１は本発明にかかわるパチンコ機の正面図であり、図２はこのパチンコ機を左方向から見た斜視図、図３は右方向から見た斜視図、図４は平面図である。
　図１乃至図４において、本発明に係るパチンコ機は枠体の中央より上部に盤面固定部が設けてあると共に、この盤面固定部の下方に灰皿及び下球皿が設けられているものである。また図１のパチンコ機の左側には、プリペイドカード５０のカードリーダー５１の概略が示してある。
　【００１０】
　ここでパチンコ機を更に詳しく説明すると、枠体１０の中央よりやや上部に、図示は省略した盤面等を枠体１０の裏側から枠体１０に固定した場合に、盤面が枠体１０前面から見えるような盤面露出部２０が欠設してあると共に、この盤面露出部２０の手前側には、詳細な図示は省略するものの、ガラス等を挿入固定する部分が設けられている。
　【００１１】
　また、この盤面露出部２０の下端部から手前方向に突出するようにして上球皿３０が設けられており、この上球皿３０の突出部の先端縁部から盤面露出部２０の周囲にかけてループ状の飾り材４０が設けられている。またこの上球皿３０の右方向には上球抜き部１１が設けられ、この上球抜き部１１を操作することにより、上球皿３０にある球が枠体１０の下部に設けられた下球皿１２へと落下することとなっている。またこの下球皿１２の左側には灰皿１３が設けてあると共に、下球皿１２の下部には下球抜き部１４が設けられ、この下球抜き部１４を操作することにより、下球皿１２にある球がこの下球皿１２の更に下方に落下するように形成されている。また、この下球皿１２の右側にはハンドル１５が設けられ、このハンドル１５を回転させることによって、球を図示しない盤面に打ち出すように形成されている。
　【００１２】
　なお、上球皿３０の左下部に設けられているのはスピーカ穴１６であり、このスピーカ穴１６の裏側に設けられたスピーカから適宜音楽あるいは放送等が行えるように形成されている。
　ここで、上球皿３０について更に詳しく説明すると、上球皿３０の盤面に向って左側には、広幅凹部３１が形成され、この広幅凹部３１に対応する枠体１０には、盤面に打ち出された球が入賞となった際に球を払い出すための払出口３２が設けられている。
　【００１３】
　またこの広幅凹部３１から盤面右側に向って徐々に幅を狭くした狭幅凹部３３が連続して形成されている。この狭幅凹部３３の更に右側は、図示は省略するものの、球の発射装置等に連続するように形成され、広幅凹部３１及び狭幅凹部３３にある球を狭幅凹部３３で一個ずつ整理しながら発射部に案内可能なように形成されている。また、この狭幅凹部３３の手前方向には、狭幅凹部３３の部分の突出長さが広幅凹部３１の突出長さと同一長さとなるように延設部３４が設けられ、かつこの延設部３４の上面には操作部３５が形成されている。したがって、上球皿３０全体は平面形状で、左右方向ほぼ対称な形に形成されている。
　【００１４】
　すなわち、広幅凹部３１に対応する幅分だけ狭幅凹部３３から延設部３４を設け、この延設部３４を各種操作を行うための操作部３５として利用しているものである。またここで、操作部３５はボタンスイッチあるいはタッチスイッチ等からなるプリペイドカード５０を用いてパチンコ球を借り出す借出スイッチ３６と、カードリーダー５１の中のカードを返却するための返却スイッチ３７と、カードリーダー５１に差し込んだプリペイドカード５０の使用残の数値表示部３８とが設けられている。
　【００１５】
　また、飾り材４０は、前述したような上球皿３０の突出部の先端縁部である広幅凹部３１の先端縁部及び延設部３４の先端縁部に添って設けられた突出飾り材４１と、盤面露出部２０の左右縦方向に相当する枠体１０に設けられた立部飾り材４２と、盤面露出部２０の上部に相当する枠体１０に、立部飾り材４２の上端部を連結するように設けられた上部飾り材４３とによって盤面露出部２０及び上球皿３０を囲むループ状に形成されている。また、この飾り材４０には詳細な図示は省略するものの、内部に照明部材が内装され、点灯あるいは点滅等が行えるものである。
　【００１６】
　このような実施例に係るパチンコ機を実際に使用する際には、ゲームの結果により、例えばゲーム状態が特定の状態となった時に、この飾り材４０を点灯あるいは点滅させることによって遊技店の従業員等は斜め方向から見ただけであっても、どの遊技客がゲームを行っている遊技台が特定の状態となったのかということの認識が一目瞭然であり、また、他の遊技客に対してもある遊技機のゲーム状態が特定の状態となったことを認識させるのに極めて容易なものである。
　【００１７】
　また例えば遊技客が係員等を呼びたいような時にも、この飾り材４０を点灯あるいは点滅させることにより、遊技機を斜め方向から見た場合においても、どの遊技機が係員を呼んでいる遊技機なのかということを極めて容易に認識できるものである。
　このような効果は、従来盤面上方等に設けられていた飾り材４０は、斜め方向から見ると重なってしまい、見にくかったものの、本発明に係る飾り材４０のうち、特に突出飾り材４１の部分が遊技客方向に突出しているために、この部分の点滅を極めて点灯あるいは点滅を極めて容易に識別できるためである。
　【００１８】
　更にプリペイドカード５０を用いてパチンコ球を借り出す場合には、まずプリペイドカード５０をカードリーダー５１に差し込む。
　すると、操作部に設けた数値表示部３８に、カードリーダー５１に差し込んだプリペイドカード５０の使用残の数値が示される。
　そこでこの数値の範囲内で、借出スイッチ３６を操作することによって、球の借り出しを行うものである。なおこの球の借り出しに関しては、カードリーダー５１とは別に、球の貸し出し機を付設することもできるし、あるいはパチンコ機の払出装置を用いて、直接パチンコ機の上球皿３０に球を貸し出すように形成することもできる。
　【００１９】
　また遊技が終了した際に、数値表示部３８にカードリーダー５１に差し込んだプリペイドカード５０の使用残の数値が示された場合には、カードリーダー５１中のプリペイドカード５０を返却するための返却スイッチ３７を押すことによって、プリペイドカード５０を取り出して、別途清算することができる。なお遊技の途中で、使用残がなくなった場合には、返却スイッチ３７を押すことによってプリペイドカード５０を取り出すように形成することもできるが、自動的にカードリーダー５１からプリペイドカード５０が返却されるように形成することもできる。
　【００２０】
　なお以上の説明において、数値表示部３８を操作部３５に設けるとして説明したが、数値表示部３８をカードリーダー５１に設け、他の借出スイッチ３６、返却スイッチ３７のみを操作部３５に設けることもできる。
　【００２１】
　【発明の効果】
　以上説明したように、本発明のうち請求項１記載の発明は、上球皿を、盤面左側の広幅凹部と、この広幅凹部に連続した盤面右側の狭幅凹部と、狭幅凹部の手前方向に狭幅凹部の部分の突出長さが広幅凹部の突出長さと同一長さとなるように設けた延設部とから形成し、この延設部の上面に上記各種スイッチの操作部を設けることによって、従来のパチンコ機にプリペイドカードを用いた球の借り出しに要する操作部を設置するための新たな場所を提供することによって、種々の操作性等の向上を図ったものである。
　また、上球皿の前側をカバーする部材と下球皿をカバーする部材と
を別々に突出させずに一
　【００２２】
　また更に、本発明のうち請求項２記載の発明は、操作部に、カードリーダーに差し込んだプリペイドカードの使用残の数値表示部を設けると、ペイドカードを用いた球の借り出し操作が更に容易に行えるものである。
【図面の簡単な説明】
　【図１】
　パチンコ機の正面図である。
　【図２】
　パチンコ機を左方向から見た斜視図である。
　【図３】
　右方向から見た斜視図である。
　【図４】
　平面図である。
　【符号の説明】
１０…枠体　　　　　　　　　１１…上球抜き部
１２…下球皿　　　　　　　　１３…灰皿
１４…下球抜き部　　　　　　１５…ハンドル
１６…スピーカ穴
２０…盤面露出部
３０…上球皿　　　　　　　　３１…広幅凹部
３２…払出口　　　　　　　　３３…狭幅凹部
３４…延設部　　　　　　　　３５…操作部
３６…借出スイッチ　　　　　３７…返却スイッチ
３８…数値表示部
４０…飾り材　　　　　　　　４１…突出飾り材
４２…立部飾り材　　　　　　４３…上部飾り材
５０…プリペイドカード　　　５１…カードリーダー